(57)【要約】【課題】携帯端末を撮像装置に接続してから画像一覧を表示するまでに時間を短縮することのできる撮像装置を提供する。【解決手段】撮像装置は、第１の通信方式によって通信を行う第１の通信処理部と、第１の通信方式での接続を確立するための準備を第２の通信方式で行う第２の通信処理部と、撮影した画像ファイルを管理する画像ファイル管理部と、を備え、第２の通信処理部は、外部端末との間で第１の通信方式での接続を確立するための準備のやり取りを第２の通信方式で行う際に、画像ファイルの管理情報を外部端末に送信する。【選択図】図６
2015233183.tif 000002
【特許請求の範囲】
【請求項１】
第１の通信方式によって通信を行う第１の通信処理部と、
前記第１の通信方式での接続を確立するための準備を第２の通信方式で行う第２の通信処理部と、
撮影した画像ファイルを管理する画像ファイル管理部と、を備え、
前記第２の通信処理部は、外部端末との間で前記第１の通信方式での接続を確立するための準備のやり取りを前記第２の通信方式で行う際に、前記画像ファイルの管理情報を前記外部端末に送信する、
撮像装置。
【請求項２】
前記第１の通信方式がＷｉ−Ｆｉ通信であり、
前記第２の通信方式がＮＦＣ（近距離無線通信）であり、
前記画像ファイルの管理情報が、前記画像ファイルの最終更新日時に関する情報である、
請求項１に記載の撮像装置。
【請求項３】
前記第２の通信処理部は、前記外部端末との間で前記第１の通信方式での接続を確立するための準備を第２の通信方式で行う際に、当該撮像装置のカメラ設定情報を前記外部端末に送信する、
請求項１又は請求項２に記載の撮像装置。
【請求項４】
前記第２の通信処理部は、前記外部端末との間で前記第１の通信方式での接続を確立するための準備を第２の通信方式で行う際に、当該撮像装置のカメラ使用状況情報を前記外部端末に送信する、
請求項１から請求項３のいずれか一項に記載の撮像装置。
【請求項５】
第１の通信方式によって通信を行う第１の通信処理部と、
前記第１の通信方式での接続を確立するための準備を第２の通信方式で行う第２の通信処理部と、
撮影した画像ファイルを管理する画像ファイル管理部と、を備え、
前記第２の通信処理部は、外部端末との間で前記第１の通信方式での通信を確立するための準備のやり取りを前記第２の通信方式で行う際に、前記画像ファイルの管理情報を前記外部端末に送信する、
撮像装置と、
前記撮像装置との間で前記第１の通信方式による接続の準備のやり取りを前記第２の通信方式で行うと共に、該やり取りの際に前記撮像装置の画像ファイルの管理情報を受け取る通信処理部と、
画像一覧の表示画像をキャッシュする画像キャッシュ部と、
前記撮像装置からの前記画像ファイルの管理情報の受け取りに応じて、受け取った前記画像ファイルの管理情報に基づいて前記キャッシュされた画像一覧の有効性を判定し、該キャッシュされた画像一覧が有効であると判定される場合に、前記キャッシュされている画像一覧の表示画像を表示する画像一覧表示制御部と、を備える、
携帯端末と、
を備える通信システム。
【請求項６】
前記携帯端末の通信処理部は、前記キャッシュされた画像一覧に有効性が無いと判定される場合にも前記キャッシュされた画像一覧の表示画像を表示すると共に、最新の画像ファイルを受信し、該受信とともに現在表示されている画像一覧を該受信された画像ファイルの画像一覧に差し換えて表示するよう制御する、
請求項５に記載の通信システム。
【請求項７】
前記携帯端末の通信処理部は、受け取った最新の画像ファイルの管理情報と前回受け取った画像ファイルの管理情報とを比較し差分を求めることにより、該差分に対応する表示画像のみを前記撮像装置から取得する、
請求項５に記載に通信システム。
【請求項８】
第１の通信方式によって通信を行う第１の通信処理部と、前記第１の通信方式での接続を確立するための準備を第２の通信方式で行う第２の通信処理部とを備える撮像装置と、通信処理部を備える携帯端末とを備える通信システムにおいて実行される通信制御方法であって、
前記撮像装置において、外部端末との間で前記第１の通信方式での通信を確立するための準備のやり取りを前記第２の通信方式で行う際に、画像ファイルの管理情報を前記外部端末に送信するステップと、
前記携帯端末において、前記撮像装置との間で前記第１の通信方式による接続の準備のやり取りを前記第２の通信方式で行う際に、前記撮像装置の画像ファイルの管理情報を受け取るステップと、
前記携帯端末において、画像一覧の表示画像をキャッシュするステップと、
前記携帯端末において、前記撮像装置からの前記画像ファイルの管理情報の受け取りに応じて、受け取った前記画像ファイルの管理情報に基づいて前記キャッシュされた画像一覧の有効性を判定し、該キャッシュされた画像一覧が有効であると判定される場合に、前記キャッシュされている画像一覧の表示画像を表示するステップと、を含む、
通信制御方法。
【発明の詳細な説明】
【技術分野】
【０００１】
本発明は、無線通信機能付き撮像装置、無線通信機能付き撮像装置と携帯型端末とからなる通信システム、及び通信制御方法に関する。
【背景技術】
【０００２】
近年、無線通信機能が搭載されたデジタルカメラが普及しつつある。無線通信機能付きのデジタルカメラに対して携帯端末を接続することで、携帯端末の表示画面にデジタルカメラから取得される情報を表示することができる。一例として、このようなシステムによれば、デジタルカメラに保存されている画像を携帯端末の表示画面に表示させることが可能である。特許文献１には、近接無線通信機能によりスマートフォンとデジタルカメラとが接続された際に、利用開始情報がスマートフォンに表示される構成が記載されている。
【先行技術文献】
【特許文献】
【０００３】
【特許文献１】特開２０１０−１３６０１６号公報
【発明の概要】
【発明が解決しようとする課題】
【０００４】
上述のような従来の通信システムにおいて、ユーザが携帯電話にデジタルカメラに保存されている画像一覧を表示させるような状況を想定する。従来のシステムでは、携帯電話は、携帯電話をデジタルカメラに接続する度に画像一覧をデジタルカメラから取得する必要があった。そのため、携帯電話をデジタルカメラに接続してから画像一覧が表示されるまでの間にしばらく時間を要するという問題があった。
【０００５】
本発明は上記の事情に鑑みてなされたものであり、本発明の目的は、携帯端末を撮像装置に接続してから画像一覧を表示するまでに時間を短縮することのできる撮像装置、通信システム、及び通信制御方法を提供することである。
【課題を解決するための手段】
【０００６】
本発明の一実施形態による撮像装置は、第１の通信方式によって通信を行う第１の通信処理部と、第１の通信方式での接続を確立するための準備を第２の通信方式で行う第２の通信処理部と、撮影した画像ファイルを管理する画像ファイル管理部と、を備える。第２の通信処理部は、外部端末との間で第１の通信方式での接続を確立するための準備のやり取りを第２の通信方式で行う際に、画像ファイルの管理情報を外部端末に送信する。
【０００７】
上記構成によれば、携帯端末を撮像装置に接続した後、即座に画像一覧を表示することができる。
【０００８】
一例として、第１の通信方式がＷｉ−Ｆｉ通信であり、第２の通信方式がＮＦＣ（近距離無線通信）であり、画像ファイルの管理情報が、画像ファイルの最終更新日時に関する情報である。
【０００９】
第２の通信処理部は、外部端末との間で第１の通信方式での接続を確立するための準備を第２の通信方式で行う際に、当該撮像装置のカメラ設定情報を外部端末に送信する構成であっても良い。
【００１０】
第２の通信処理部は、外部端末との間で第１の通信方式での接続を確立するための準備を第２の通信方式で行う際に、当該撮像装置のカメラ使用状況情報を外部端末に送信する構成であっても良い。
【００１１】
また、本発明の一実施形態による通信システムは、第１の通信方式によって通信を行う第１の通信処理部と、第１の通信方式での接続を確立するための準備を第２の通信方式で行う第２の通信処理部と、撮影した画像ファイルを管理する画像ファイル管理部と、を備え、第２の通信処理部は、外部端末との間で第１の通信方式での通信を確立するための準備のやり取りを第２の通信方式で行う際に、画像ファイルの管理情報を外部端末に送信する、撮像装置と、撮像装置との間で第１の通信方式による接続の準備のやり取りを第２の通信方式で行うと共に、該やり取りの際に撮像装置の画像ファイルの管理情報を受け取る通信処理部と、画像一覧の表示画像をキャッシュする画像キャッシュ部と、撮像装置からの画像ファイルの管理情報の受け取りに応じて、受け取った画像ファイルの管理情報に基づいてキャッシュされた画像一覧の有効性を判定し、該キャッシュされた画像一覧が有効であると判定される場合に、キャッシュされている画像一覧の表示画像を表示する画像一覧表示制御部と、を備える、携帯端末とを備える。
【００１２】
上記構成によれば、携帯端末をデジタルカメラに接続した後、即座に画像一覧を表示することができる。
【００１３】
携帯端末の通信処理部は、キャッシュされた画像一覧に有効性が無いと判定される場合にもキャッシュされた画像一覧の表示画像を表示すると共に、最新の画像ファイルを受信し、該受信とともに現在表示されている画像一覧を、該受信された画像ファイルの画像一覧に差し換えて表示するよう制御する構成で合っても良い。
【００１４】
携帯端末の通信処理部は、受け取った最新の画像ファイルの管理情報と前回受け取った画像ファイルの管理情報とを比較し差分を求めることにより、該差分に対応する表示画像のみをデジタルカメラから取得する構成であっても良い。
【００１５】
また、本発明の一実施形態による通信制御方法は、第１の通信方式によって通信を行う第１の通信処理部と、第１の通信方式での接続を確立するための準備を第２の通信方式で行う第２の通信処理部とを備える撮像装置と、通信処理部を備える携帯端末とを備える通信システムにおいて実行される通信制御方法である。この通信制御方法は、撮像装置において、外部端末との間で第１の通信方式での通信を確立するための準備のやり取りを第２の通信方式で行う際に、画像ファイルの管理情報を前記外部端末に送信するステップと、携帯端末において、撮像装置との間で第１の通信方式による接続の準備のやり取りを第２の通信方式で行う際に、撮像装置の画像ファイルの管理情報を受け取るステップと、携帯端末において、画像一覧の表示画像をキャッシュするステップと、携帯端末において、撮像装置からの画像ファイルの管理情報の受け取りに応じて、受け取った画像ファイルの管理情報に基づいてキャッシュされた画像一覧の有効性を判定し、該キャッシュされた画像一覧が有効であると判定される場合に、キャッシュされている画像一覧の表示画像を表示するステップと、を含む。
【００１６】
上記構成によれば、携帯端末をデジタルカメラに接続した後、即座に画像一覧を表示することができる。
【発明の効果】
【００１７】
以上のように、本発明によれば、携帯端末をデジタルカメラに接続してから画像一覧を表示するまでの時間を短縮することができる。
【図面の簡単な説明】
【００１８】
【図１】本発明の本実施形態の通信システムの構成を示すブロック図である。
【図２】本発明の本実施形態のデジタルカメラのハードウェア構成を示すブロック図である。
【図３】本発明の実施形態の携帯端末のハードウェア構成を示すブロック図である。
【図４】デジタルカメラのソフトウェア構成を説明するための図である。
【図５】携帯端末のソフトウェア構成を説明するための図である。
【図６】実施例１における携帯端末とデジタルカメラ間の通信処理を示すシーケンス図である。
【図７】実施例２における携帯端末とデジタルカメラ間の通信処理を示すシーケンス図である。
【図８】実施例３における携帯端末とデジタルカメラ間の通信処理を示すシーケンス図である。
【図９】実施例４における携帯端末とデジタルカメラ間の通信処理を示すシーケンス図である。
【図１０】実施例５における携帯端末とデジタルカメラ間の通信処理を示すシーケンス図である。
【図１１】携帯端末の表示画面にサムネイルが表示された状態の一例を示す図である。
【図１２】携帯端末のアプリケーションの一つであるカメラリモコンアプリの起動画面の例を示す図である。
【発明を実施するための形態】
【００１９】
以下、本発明の実施形態について図面を参照しながら説明する。以下においては、本発明の一実施形態として、無線通信機能付きデジタル一眼レフカメラ（以下、単に「デジタルカメラ」と記す）１００と携帯端末２００とからなる通信システム１について説明する。図１は、本実施形態の通信システム１の構成を示している。なお、デジタルカメラ１００は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、デジタルカメラ機能と無線通信機能が統合された別の形態の装置に置き換えてもよい。また、携帯端末２００は、ノートＰＣ、タブレット端末、ＰＨＳ、スマートフォン、フィーチャフォン、携帯ゲーム機など、表示機能と通信機能を備える別の形態の装置に置き換えてもよい。
【００２０】
［デジタルカメラ１００の構成］
図２は、本実施形態のデジタルカメラ１００のハードウェア構成を示すブロック図である。図１に示されるように、デジタルカメラ１００は、ＣＰＵ（Central Processing Unit）１０１、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、ＬＣＤ（Liquid Crystal Display）１２４、ＲＯＭ（Read Only Memory）１２６及び不揮発性メモリ１２７を備えている。さらに、デジタルカメラ１００には、ＮＦＣ（近距離無線通信）機能を提供する通信インタフェース（以下、「ＮＦＣインタフェース」と記す）１３１、及びＷｉ−Ｆｉ無線通信機能を提供する通信インタフェース（以下、「Ｗｉ−Ｆｉインタフェース」と記す）１３２が搭載されている。なお、ＮＦＣ（近距離無線通信）は、通信距離等に関し所定の条件に適合する場合に自動的に通信制御がなされるものであり、Ｗｉ−Ｆｉ無線通信は、ユーザの操作を伴い起動する通信制御がなされるものである。
【００２１】
操作部１０２には、電源スイッチやレリーズスイッチ、撮影モードスイッチなど、ユーザがデジタルカメラ１００を操作するために必要な各種スイッチが含まれる。ユーザにより電源スイッチが押されると、図示省略されたバッテリからデジタルカメラ１００の各種回路に電源ラインを通じて電源供給が行われる。ＣＰＵ１０１は電源供給後、ＲＯＭ１２６にアクセスして制御プログラムを読み出してワークエリア（不図示）にロードし、ロードされた制御プログラムを実行することにより、デジタルカメラ１００全体の制御を行う。
【００２２】
レリーズスイッチが操作されると、ＣＰＵ１０１は、デジタルカメラ１００に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１０１はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２３】
被写体からの光束は、撮影レンズ１０６、絞り１０８、シャッタ１１０を通過してイメージセンサ１１２により受光される。イメージセンサ１１２は、例えばベイヤ型画素配置を有する単板式カラーＣＣＤ（Charge Coupled Device）イメージセンサであり、受光面上の各画素で結像した光学像を光量に応じた電荷として蓄積して、Ｒ（Red）、Ｇ（Green）、Ｂ（Blue）の各色に応じた撮像信号に変換し信号処理回路１１４に出力する。なお、イメージセンサ１１２は、例えばＣＭＯＳ（Complementary Metal Oxide Semiconductor）イメージセンサ等の他のイメージャであってもよい。
【００２４】
信号処理回路１１４は、イメージセンサ１１２より入力される電気信号（撮影データ）に対してクランプ、デモザイク等の所定の信号処理を施して、画像処理エンジン１１６に出力する。画像処理エンジン１１６は、信号処理回路１１４より入力される信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００２５】
画像処理エンジン１１６は、生成された圧縮画像信号（撮影画像データ）を、例えばデジタルカメラ１００に備えられる不図示の内蔵メモリに保存する。
【００２６】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ１２４に出力する。ＬＣＤ１２４は、画像処理エンジン１１６より入力される画像信号を基に液晶パネルを変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画を、ＬＣＤ１２４の表示画面を通じて視認することができる。
【００２７】
画像処理エンジン１１６は、ユーザにより撮影画像の再生操作が行われると、操作により指定された撮影画像データを内蔵メモリより読み出して所定のフォーマットの画像信号に変換し、ＬＣＤ１２４に出力する。ＬＣＤ１２４が画像処理エンジン１１６より入力される画像信号を基に液晶パネルを変調制御することで、被写体の撮影画像がＬＣＤ１２４の表示画面に表示される。
【００２８】
［携帯端末２００の構成］
図３は、携帯端末２００のハードウェア構成を示すブロック図である。図３に示すように、携帯端末２００は、ＣＰＵ２０１、主記憶装置２０２、不揮発性メモリ２０３、タッチパネル２１０及びＬＣＤ２１１を有する。携帯端末２００には、さらに、ＮＦＣ（近距離無線通信）機能を提供する通信インタフェース（以下、「ＮＦＣインタフェース」と記す）２２１、及びＷｉ−Ｆｉ無線通信機能を提供する通信インタフェース（以下、「Ｗｉ−Ｆｉインタフェース」と記す）２２２が搭載されている。なお、図３では、説明の便宜の為、携帯端末としての構成要素のうち、本発明の実施形態と係わるものを図示している。
【００２９】
図４は、デジタルカメラ１００のソフトウェア構成を説明するための図である。図４に示すように、デジタルカメラ１００は、ソフトウェア機能ブロックとして、撮影制御等のデジタルカメラとして必要な様々な処理を行うカメラ処理部１７１、及び画像ファイルの管理を行う画像ファイル管理部１７２を有する。デジタルカメラ１００は、さらに、ソフトウェア機能ブロックとして、ＮＦＣインタフェース１３１を介して行われるＮＦＣ通信を制御するＮＦＣ通信処理部１８１、およびＷｉ−Ｆｉインタフェース１３２を介して行われるＷｉ−Ｆｉ無線通信を制御するＷｉ−Ｆｉ通信処理部１８２を有する。
【００３０】
画像ファイル管理情報１６１は、例えば、画像ファイル枚数、最終更新日時、画像ファイルの総容量を含んでいる。
【００３１】
不揮発性メモリ１２７には、カメラ処理部１７１による制御の下で、カメラ設定情報１９１及びカメラ使用状況１９２が生成され管理される。カメラ設定情報１９１は、例えば、絞りの値、シャッタ速度の値、ＩＳＯ感度値、露出補正値を含む。カメラ使用状況１９２は、例えば、カメラの起動回数、シャッタ回数、機能毎の使用頻度を含む。
【００３２】
図５は、携帯端末２００のソフトウェア構成を説明するための図である。図５に示すように、携帯端末２００は、携帯端末２００の表示画面（ＬＣＤ２１１）に画像一覧を表示するための画像一覧表示部２５１、デジタルカメラ１００から取得した画像ファイル（表示画像２７１）をキャッシングする画像キャッシュ部２５２を有する。携帯端末２００は、さらに、ソフトウェア機能ブロックとして、ＮＦＣインタフェース２２１を介して行われるＮＦＣ通信を制御するＮＦＣ通信処理部２８１、およびＷｉ−Ｆｉインタフェース２２２を介して行われるＷｉ−Ｆｉ無線通信を制御するＷｉ−Ｆｉ通信処理部２８２を有する。
【００３３】
以下、デジタルカメラ１００と携帯端末２００の無線接続に関する実施例を５例説明する。
【００３４】
［実施例１］
実施例１は、デジタルカメラ１００と携帯端末２００のＷｉ−Ｆｉ接続へのペアリングをＮＦＣ（近接無線通信）によって行う例である。図６は、実施例１における携帯端末２００とデジタルカメラ１００間の通信処理を示すシーケンス図である。なお、図６（及び以降に示す同様のシーケンス図）では、携帯端末２００と、デジタルカメラ１００中のソフトウェア構成要素（画像ファイル管理部１７２、カメラ処理部１７１、ＮＦＣ通信処理部１８１、Ｗｉ−Ｆｉ通信処理部１８２）との間での処理シーケンスを示している。
【００３５】
携帯端末２００は、デジタルカメラ１００とのＷｉ−Ｆｉ接続を行う為の接続情報を取得するために、ＮＦＣ通信処理部１８１を介してデジタルカメラ１００との間で近距離無線接続を行い、Ｗｉ−Ｆｉ接続情報要求をＮＦＣ通信処理部１８１に送信する（処理ステップＳ１）。Ｗｉ−Ｆｉ接続情報要求は、ＮＦＣ通信処理部１８１から、Ｗｉ−Ｆｉ通信処理部１８２に渡され（処理ステップＳ２）、これによりＷｉ−Ｆｉ接続情報が、Ｗｉ−Ｆｉ通信処理部１８２からＮＦＣ通信処理部１８１に渡される（処理ステップＳ３）。Ｗｉ−Ｆｉ接続情報は、ＳＳＩＤ(Service Set Identifier)、鍵情報等を含む。
【００３６】
この際、デジタルカメラ１００のＮＦＣ通信処理部１８１は、管理ファイル情報（画像ファイル管理情報）を取得するため管理ファイル情報要求を生成して画像ファイル管理部１７２に送信する（処理ステップＳ４）。画像ファイル管理部１７２は、管理ファイル情報要求に応答して、管理ファイル情報をＮＦＣ通信処理部１８１に渡す（処理ステップＳ５）。ＮＦＣ通信処理部１８１は、受け取ったＷｉ−Ｆｉ接続情報及び管理ファイル情報を携帯端末２００に送信する（処理ステップＳ６）。管理ファイル情報は、デジタルカメラ１００のファイルが最後に更新された日時とする。なお、管理ファイル情報には、画像ファイル枚数、総画像ファイルサイズ、画像ファイルのハッシュ値等が含まれていても良い。
【００３７】
携帯端末２００では、取得したＷｉ−Ｆｉ接続情報を基にデジタルカメラ１００とのＷｉ−Ｆｉ接続を確立する。
【００３８】
携帯端末２００は、デジタルカメラ１００に保存された画像ファイルの画像一覧を表示するために、画像リスト要求を生成し、デジタルカメラ１００のＷｉ−Ｆｉ通信処理部１８２に送信する（処理ステップＳ７）。画像リスト要求は、画像ファイル管理部１７２に渡される（処理ステップＳ８）。画像ファイル管理部１７２では画像リストと併せて管理ファイル情報が取得され、画像リストと管理ファイル情報が、Ｗｉ−Ｆｉ通信処理部１８２を介して携帯端末２００に送信される（処理ステップＳ９、Ｓ１０）。
【００３９】
次に、携帯端末２００は、取得した画像リストに含まれる画像のサムネイルをデジタルカメラ１００に要求する為のサムネイル要求を送信する（処理ステップＳ１１）。デジタルカメラ１００では、Ｗｉ−Ｆｉ通信処理部１８２で受信されたサムネイル要求が画像ファイル管理部１７２に渡される（処理ステップＳ１２）。サムネイル要求を受け取った画像ファイル管理部１７２は、デジタルカメラ１００に保存されている画像ファイルのサムネイルをＷｉ−Ｆｉ通信処理部１８２を介して携帯端末１００に送信する（処理ステップＳ１３，Ｓ１４）。
【００４０】
携帯端末２００は、受け取ったサムネイル（画像一覧）を携帯端末２００の表示画面に表示する（処理ステップＳ１５）。図１１は、このような処理を経て携帯端末２００の表示画面にサムネネイルが表示された状態の一例を示している。
【００４１】
この際、携帯端末２００は、取得したサムネイルを画像キャッシュ部２５２にキャッシュし（処理ステップＳ１６）、また、取得した管理ファイル情報を不揮発性メモリ２０３に保存する（処理ステップＳ１７）。
【００４２】
この後、デジタルカメラ１００との接続が解除され、携帯端末２００の電源がオフされ、しばらく時間が経過したものとする。また、その間、デジタルカメラでは、新たな画像が撮影されなかったものとする。
【００４３】
次に携帯端末２００が起動された際にも、初回起動時と同様に、携帯端末２００は、デジタルカメラ１００とのＮＦＣ（近距離無線）接続時に管理ファイル情報を取得する（処理ステップＳ３１〜Ｓ３６）。なお、処理ステップＳ３１〜Ｓ３６の処理内容は、上述の処理ステップＳ１からＳ６と同様である為、詳細な説明を省略する。
【００４４】
携帯端末２００は、処理ステップＳ３６にて今回取得した管理ファイル情報と、不揮発性メモリ２０３に保存していた管理ファイル情報とを比較する（処理ステップＳ３７）。今回取得した管理ファイル情報と、不揮発性メモリ２０３に保存していた管理ファイル情報とが同一である場合には、携帯端末２００は、デジタルカメラ１００内の画像と、画像キャッシュ部２５２に保存されている内容に相違が無いことが保証され、キャッシュされているサムネイルを利用できることとなるため、携帯端末２００は、画像一覧表示部２５１により、利用者に対して画像一覧（サムネイル画像）を即座に表示することができる（処理ステップＳ３８）。なお、画像一覧（サムネイル画像）の有効性を判断するための情報としては、日時以外にも、画像一覧の差分に関する情報が利用されても良い。
【００４５】
なお、携帯端末２００は、デジタルカメラ１００との間でＷｉ−Ｆｉ接続が確立された際、従来であればデジタルカメラ１００において新たな画像が撮影されているか否かを知ることができなかったため、改めて画像リストとサムネイルを取得してデジタルカメラ１００内の画像と、携帯端末２００内にキャッシュされている画像の整合を取る必要があった。それに対し、本実施形態によれば、携帯端末２００が次回起動された際に、携帯端末２００は、ＮＦＣ（近距離無線）接続により管理ファイル情報を迅速に取得し、キャッシュされたサムネイルを利用者に対して即座に表示することができる。
【００４６】
なお、携帯端末２００の電源オフ中にデジタルカメラ１００で新たな画像が撮影された場合には、デジタルカメラ１００では管理ファイル情報が更新される。これにより、携帯端末２００は、次回の近距離通信時に、携帯端末２００のサムネイルキャッシュとデジタルカメラ１００内の画像に差異があることを知ることができる。
【００４７】
実施例１の上記構成によれば、画像ファイル情報（画像リスト）の保存とともにサムネイルをキャッシュしておくことで、携帯端末２００をデジタルカメラ１００に接続した後、即座に画像一覧を表示することができる。
【００４８】
［実施例２］
実施例２は、携帯端末２００がデジタルカメラ１００とのＷｉ−Ｆｉ接続のペアリングをＮＦＣ（近接無線通信）によって行う際に、デジタルカメラ１００のカメラ設定情報を取得する例である。図７は、実施例２における携帯端末２００とデジタルカメラ１００間の通信処理を示すシーケンス図である。デジタルカメラ１００のカメラ処理部１７１は、絞り値などのカメラ設定情報が更新されるたびに不揮発性メモリ２０３に保存されているカメラ設定情報を更新する（処理ステップＳ４０）。
【００４９】
上述の実施例１における処理ステップＳ１〜Ｓ３と同様に、携帯端末２００は、Ｗｉ−Ｆｉ接続の為の接続情報を取得するためにデジタルカメラ１００とＮＦＣ（近接無線通信）接続を行い、Ｗｉ−Ｆｉ接続情報を要求する（処理ステップＳ４１〜Ｓ４３）。その際、デジタルカメラ１００では、ＮＦＣ通信処理部１８１においてカメラ設定情報要求を生成することにより、カメラ設定情報が取得され（処理ステップＳ４４,Ｓ４５）、カメラ設定情報がＷｉ−Ｆｉ接続情報と共に携帯端末２００に送信される（処理ステップＳ４６）。
【００５０】
以上の処理ステップを経て携帯端末２００とデジタルカメラ１００間にＷｉ−Ｆｉ接続が確立される。携帯端末２００は、受信したカメラ設定情報を用いて、現在のデジタルカメラ１００の設定情報を反映した状態でアプリケーションを起動することができる。図１２は、携帯端末２００のアプリケーションの一つであるカメラリモコンアプリが、受信したカメラ設定情報を反映しつつ起動されている状態を表している（処理ステップＳ５１）。
【００５１】
具体的には、図１２のリモコン操作画面における表示領域Ｄ１，Ｄ２，Ｄ３，Ｄ４には、デジタルカメラ１００からカメラ設定情報として受信した情報である絞り値、シャッタ速度、ＩＳＯ感度値、および露出補正値が表示される。
【００５２】
上述の実施例２の構成によれば、携帯端末２００をデジタルカメラに接続した直後に即座にカメラ設定情報が取得されるため、携帯端末２００は現在のカメラ設定情報を反映した形でカメラリモコンアプリを起動するこができる。すなわち、携帯端末２００のカメラリモコンアプリ起動時における準備のための待機時間が削減できる。なお、実施例２の上記処理は、実施例１における上述の処理（処理ステップＳ１〜Ｓ６）の一部として実行されても良い。なお、上記実施例２の特徴は、様々なアプリケーションに適用することができる。
【００５３】
［実施例３］
実施例３は、携帯端末２００がデジタルカメラ１００とのＷｉ−Ｆｉ接続のペアリングをＮＦＣ（近接無線通信）によって行う際に、デジタルカメラ１００のカメラ使用状況を取得する例である。図８は、実施例３における携帯端末２００とデジタルカメラ１００間の通信処理を示すシーケンス図である。デジタルカメラ１００のカメラ処理部１７１は、デジタルカメラ１００が使用される度に不揮発性メモリ２０３に保存されているカメラ使用状況を更新する（処理ステップＳ６０）。
【００５４】
上述の実施例１における処理ステップＳ１〜Ｓ３と同様に、携帯端末２００は、Ｗｉ−Ｆｉ接続の為の接続情報を取得するためにデジタルカメラ１００とＮＦＣ（近接無線通信）接続を行い、Ｗｉ−Ｆｉ接続情報を要求する（処理ステップＳ６１〜Ｓ６３）。その際、デジタルカメラ１００では、ＮＦＣ通信処理部１８１においてカメラ使用状況要求を生成することにより、カメラ使用状況が取得され（処理ステップＳ６４,Ｓ６５）、カメラ使用状況がＷｉ−Ｆｉ接続情報と共に携帯端末２００に送信される（処理ステップＳ６６）。
【００５５】
以上の処理ステップを経て携帯端末２００とデジタルカメラ１００間にＷｉ−Ｆｉ接続が確立される。携帯端末２００は、受信したカメラ使用状況を用いて、現在のデジタルカメラ１００の使用状況を反映した状態でアプリケーションを起動することができる。図１２に示すカメラリモコンアプリの例では、利用者の利用頻度が多い機能として、例えば、エフェクト機能の種別が反映された状態（表示領域Ｄ５）で、カメラリモコンアプリが起動されている。
【００５６】
上述の実施例３の構成によれば、現在のカメラ使用状況を反映した形でカメラリモコンアプリを起動することができる。すなわち、携帯端末２００のアプリケーションの初期画面をデジタルカメラ１００のユーザが良く使う状態にして起動することができる。なお、実施例３の上記処理は、実施例１における上述の処理（処理ステップＳ１〜Ｓ６）の一部として実行されても良い。なお、上記実施例３の特徴は、様々なアプリケーションに適用することができる。
【００５７】
［実施例４］
実施例４は、実施例１における処理ステップＳ３７において、今回取得した管理ファイル情報と、不揮発性メモリ２０３に保存していた管理ファイル情報とが異なる場合の処理例である。図９は、実施例４における携帯端末２００とデジタルカメラ１００間の通信処理を示すシーケンス図である。図９では、図６に示した実施例１における処理ステップと同等の処理には同一の符号を付し、その説明を省略することとし、以下では、実施例４の特徴部分について説明する。
【００５８】
処理ステップＳ１〜Ｓ１７の一連の処理を経て管理ファイル情報が携帯端末２００に保存され、更に、携帯端末２００の電源オフ、オン動作により処理ステップＳ３１〜Ｓ３６が実行され、再び管理ファイル情報が取得された状況（Ｗｉ−Ｆｉ接続が確立された状況）を想定する。ここでは、携帯端末２００の電源オフ中に、デジタルカメラ１００において撮影や画像の削除が行われ（処理ステップＳ７８）、管理ファイル情報が更新されていることとする（処理ステップＳ７９）。再び起動された携帯端末２００は、キャッシュされているサムネイルを基に画像一覧を表示する（処理ステップＳ８１）。更に、携帯端末２００は、今回取得した管理ファイル情報と、不揮発性メモリ２０３に保存していた管理ファイル情報とを比較する（処理ステップＳ８２）。
【００５９】
今回取得した管理ファイル情報と、不揮発性メモリ２０３に保存していた管理ファイル情報とが異なる場合、サムネイルを更新するため、携帯端末２００は一連の処理ステップＳ７〜Ｓ１４を再度実行する。これにより、最新のサムネイルが取得され、最新の画像一覧が表示される（処理ステップＳ８３）。また、携帯端末２００は、取得した最新のサムネイルをキャッシュするとともに、管理ファイル情報を保存する（処理ステップＳ８４、Ｓ８５）。すなわち、サムネイルが最新のものに迅速かつ確実に差し替えられる。
【００６０】
上述の実施例４の構成によれば、実施例１による効果に加え、さらに、管理情報ファイルを最新のものに迅速かつ確実に更新することができる。
【００６１】
［実施例５］
実施例５は、実施例４と同様に今回取得した管理ファイル情報と不揮発性メモリ２０３に保存していた管理ファイル情報とが異なる場合の処理例である。図１０は、実施例５における携帯端末２００とデジタルカメラ１００間の通信処理を示すシーケンス図である。図１０では、図９に示した実施例４における処理ステップと同等の処理には同一の符号を付し、その説明省略することとし、以下では、実施例５の特徴部分について説明する。
【００６２】
処理ステップＳ１〜Ｓ１７の一連の処理を経て管理ファイル情報が携帯端末２００に保存され、更に、携帯端末２００の電源オフ、オン動作により処理ステップＳ３１〜Ｓ３６が実行され、再び管理ファイル情報が取得された状況（Ｗｉ−Ｆｉ接続が確立された状況）を想定する。ここでは、携帯端末２００の電源オフ中に、デジタルカメラ１００において撮影や画像の削除が行われ（処理ステップＳ７８）、管理情報ファイルが更新されていることとする（処理ステップＳ７９）。
【００６３】
携帯端末２００は、不揮発性メモリ２０３に保存した管理ファイル情報と今回取得した管理ファイル情報の差分を計算することにより、携帯端末２００が所持していないサムネイルのみを要求するため、サムネイルを取得するための一連の処理（処理ステップＳ７〜Ｓ１４）を実行する。これにより、最新のサムネイルが揃うこととなるため、携帯端末２００は、最新の画像一覧を表示する（処理ステップＳ８３）。更に、携帯端末２００は、最新のサムネイルをキャッシュし、最新の管理ファイル情報を保存する（処理ステップＳ８４，Ｓ８５）。
【００６４】
上述の実施例５の構成によれば、実施例１及び実施例４の効果に加え、さらに、管理情報ファイルを最小限の処理時間で最新のものに更新することが可能となる。
【００６５】
以上が本発明の実施形態の説明である。本発明の範囲は上述の実施形態に限定されるものではない、例えば、上述の複数の実施例を適宜組み合わせることにより構成される例も本発明の範囲に含まれる。
【００６６】
上述の実施形態では、デジタルカメラから携帯端末に送信される管理ファイル情報が、デジタルカメラの画像ファイルが最後に更新された最終更新日時であるものとして説明した。しかしながら、管理ファイル情報は、携帯端末側がデジタルカメラの画像ファイルが更新されていることを知ることのできる情報であればよいので、上述の実施形態において例示したもの以外にも様々な形式の情報を利用することができる。
【符号の説明】
【００６７】
１００  デジタルカメラ
１０１  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２６  ＲＯＭ
１２７  不揮発性メモリ
１２４  ＬＣＤ
１３１  ＮＦＣ通信インタフェース
１３２  Ｗｉ−Ｆｉ通信インタフェース
２００  携帯端末
２０１  ＣＰＵ
２０２  主記憶装置
２０３  不揮発性メモリ
２１０  タッチパネル
２１１  ＬＣＤ
２２１  ＮＦＣ通信インタフェース
２２２  Ｗｉ−Ｆｉ通信インタフェース
【図１】
2015233183.tif 000003
【図２】
2015233183.tif 000004
【図３】
2015233183.tif 000005
【図４】
2015233183.tif 000006
【図５】
2015233183.tif 000007
【図６】
2015233183.tif 000008
【図７】
2015233183.tif 000009
【図８】
2015233183.tif 000010
【図９】
2015233183.tif 000011
【図１０】
2015233183.tif 000012
【図１１】
2015233183.tif 000013
【図１２】
2015233183.tif 000014